(57)【要約】後バスバー（３００）は、コンデンサ素子（１００）の上側端面電極（１０１）に接続される後側電極接続部（３１０）を含み、後側重合部（３２０）は、上側端面電極（１０１）に重なる位置において後側電極接続部（３１０）から上方へ引き出される。前バスバー（２００）は、コンデンサ素子（１００）の下側端面電極に接続される前側電極接続部（２１０）と、第１中継部（２２０）と上側端面電極（１０１）に沿う第２中継部（２３０）とを含み、前側重合部（２４０）は、第２中継部（２３０）から上方へ引き出される。絶縁モジュール（４００）は、前側重合部（２４０）と後側重合部（３２０）との間に介在する第１絶縁部（４１０）と、上側端面電極（１０１）と第２中継部（２３０）との間に介在する第２絶縁部（４２０）とを含む。
2017146013.tif 000002
【特許請求の範囲】
【請求項１】
コンデンサ素子と、
前記コンデンサ素子に接続される第１のバスバーおよび第２のバスバーと、
前記第１のバスバーと前記第２のバスバーとにそれぞれが含まれ、互いに重なり合う第１の重合部および第２の重合部と、
前記第１の重合部と前記第２の重合部との間を絶縁するための絶縁部と、を備え、
前記第１のバスバーは、前記コンデンサ素子の一端面に形成された第１の端面電極に接続される第１の電極接続部を含み、前記第１の重合部は、前記第１の端面電極に重なる位置において前記第１の電極接続部から前記第１の端面電極が向く方向へ引き出され、
前記第２のバスバーは、前記コンデンサ素子の他端面に形成された第２の端面電極に接続される第２の電極接続部と、当該第２の電極接続部から前記コンデンサ素子の周面に沿うように前記第１の端面電極の方向へ延びた後に前記第１の端面電極に沿うように前記第１の重合部の方向へ延び、前記第２の電極接続部と前記第２の重合部とを繋ぐ中継部とを含み、前記第２の重合部は、前記中継部から前記第１の端面電極が向く方向へ引き出され、
前記絶縁部は、前記第１の重合部と前記第２の重合部との間に介在する第１の絶縁部と、前記第１の絶縁部から前記第１の端面電極に沿うように延びて前記第１の端面電極と前記中継部との間に介在する第２の絶縁部とを含む、
ことを特徴とするフィルムコンデンサ。
【請求項２】
請求項１に記載のフィルムコンデンサにおいて、
前記絶縁部は、前記第２の絶縁部から前記コンデンサ素子の周面に沿うように延びて当該周面と前記中継部との間に介在する第３の絶縁部とを含む、
ことを特徴とするフィルムコンデンサ。
【請求項３】
請求項２に記載のフィルムコンデンサにおいて、
前記第３の絶縁部は、前記第１の端面電極の周面を含む前記コンデンサ素子の一部の周面と前記中継部との間に介在する、
ことを特徴とするフィルムコンデンサ。
【請求項４】
請求項１ないし３の何れか一項に記載のフィルムコンデンサにおいて、
前記コンデンサ素子、前記第１のバスバーおよび前記第２のバスバーが収容されるケースと、
前記ケース内に、少なくとも前記中継部が埋没する位置まで充填される充填樹脂と、を、さらに備え、
前記中継部には、前記充填樹脂が流通する第１の開口部が形成され、
前記第２の絶縁部には、前記第１の開口部と重なる位置に、前記充填樹脂が流通する第２の開口部が形成される、
ことを特徴とするフィルムコンデンサ。
【請求項５】
請求項４に記載のフィルムコンデンサにおいて、
前記第２の開口部は、前記第１の開口部より小さく、前記第１の開口部の開口領域内に収まるように形成される、
ことを特徴とするフィルムコンデンサ。
【請求項６】
請求項１ないし５の何れか一項に記載のフィルムコンデンサにおいて、
前記第１の重合部、前記第２の重合部および前記第１の絶縁部は、平板状に形成され、
前記第１の絶縁部は、前記第２の絶縁部から離れるに従って厚みが小さくなるテーパー状を有し、
前記第１の絶縁部には、前記第１の重合部に対向する面に前記第１の重合部が引き出される方向に延びる第１のリブが形成されるとともに、前記第２の重合部に対向する面に前記第２の重合部が引き出される方向に延びる第２のリブが形成され、
前記第１のリブの前記第１の重合部に対向する面と前記第２のリブの前記第２の重合部に対向する面とが平行である、
ことを特徴とするフィルムコンデンサ。
【発明の詳細な説明】
【技術分野】
【０００１】
本発明は、フィルムコンデンサに関する。
【背景技術】
【０００２】
従来、金属化フィルムを積層または巻回してなるコンデンサ素子の両端面に形成された端面電極に、それぞれバスバーの一端を接続するとともに、バスバーの他端に外部機器と接続される外部接続端子を形成したフィルムコンデンサにおいて、２つのバスバーの一部を、絶縁部材を間に挟んで重ね合わせ、バスバーが有するインダンクタンス成分であるＥＳＬ（等価直流インダクタンス）を低減させるようにしたものが知られている。【０００３】
このようなフィルムコンデンサでは、たとえば、特許文献１に記載のように、端面電極の向く方向が、外部接続端子が引き出される方向と垂直となるようにコンデンサ素子が配置される構成と、たとえば、特許文献２に記載のように、端面電極の向く方向が、外部接続端子が引き出される方向と平行となるようにコンデンサ素子が配置される構成とが採られ得る。【０００４】
後者のような構成が採られる場合に、特許文献２に記載のケースモールド型コンデンサ（フィルムコンデンサ）では、Ｐ極バスバーとＮ極バスバーとが、コンデンサ素子の端面電極を正面から見たときに、端面電極から外れた位置に引き出され、その位置において電極間絶縁部材を間に挟んで重ね合される。
【先行技術文献】
【特許文献】
【０００５】
【特許文献１】特開２０１０−２５１４００号公報
【特許文献２】特開２０１５−０９５６２７号公報
【発明の概要】
【発明が解決しようとする課題】
【０００６】
上記特許文献２のケースモールド型コンデンサでは、Ｐ極バスバーとＮ極バスバーとが、端面電極から外れた位置から引き出されているため、コンデンサ素子の端面電極に沿う方向におけるサイズが大きくなってしまう。そこで、２つのバスバーにおける絶縁部材を挟んで重ね合された部分、即ち、２つの重合部が、コンデンサ素子の端面電極と重なる位置に配置されるような構成が考えられる。【０００７】
しかしながら、このような構成とした場合、２つの重合部が配置される側の端面電極とは異極性のバスバーの一部が、その端面電極の上を沿うことになるため、それらの接触が懸念される。【０００８】
かかる課題に鑑み、本発明は、小型化が可能なフィルムコンデンサを提供することを目的とする。
【課題を解決するための手段】
【０００９】
本発明の主たる態様に係るフィルムコンデンサは、コンデンサ素子と、前記コンデンサ素子に接続される第１のバスバーおよび第２のバスバーと、前記第１のバスバーと前記第２のバスバーとにそれぞれが含まれ、互いに重なり合う第１の重合部および第２の重合部と、前記第１の重合部と前記第２の重合部との間を絶縁するための絶縁部と、を備える。ここで、前記第１のバスバーは、前記コンデンサ素子の一端面に形成された第１の端面電極に接続される第１の電極接続部を含み、前記第１の重合部は、前記第１の端面電極に重なる位置において前記第１の電極接続部から前記第１の端面電極が向く方向へ引き出される。また、前記第２のバスバーは、前記コンデンサ素子の他端面に形成された第２の端面電極に接続される第２の電極接続部と、当該第２の電極接続部から前記コンデンサ素子の周面に沿うように前記第１の端面電極の方向へ延びた後に前記第１の端面電極に沿うように前記第１の重合部の方向へ延び、前記第２の電極接続部と前記第２の重合部とを繋ぐ中継部とを含み、前記第２の重合部は、前記中継部から前記第１の端面電極が向く方向へ引き出される。さらに、前記絶縁部は、前記第１の重合部と前記第２の重合部との間に介在する第１の絶縁部と、前記第１の絶縁部から前記第１の端面電極に沿うように延びて前記第１の端面電極と前記中継部との間に介在する第２の絶縁部とを含む。
【発明の効果】
【００１０】
本発明によれば、小型化が可能なフィルムコンデンサを提供することができる。【００１１】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１２】
【図１】図１は、実施の形態に係る、フィルムコンデンサの正面斜視図である。
【図２】図２（ａ）は、実施の形態に係る、コンデンサユニットの正面斜視図であり、図２（ｂ）は、実施の形態に係る、コンデンサユニットの背面斜視図である。
【図３】図３は、実施の形態に係る、裏返した状態のコンデンサユニットの背面斜視図である。
【図４】図４（ａ）および（ｂ）は、それぞれ、実施の形態に係る、前バスバーの正面斜視図および背面斜視図である。
【図５】図５（ａ）および（ｂ）は、それぞれ、実施の形態に係る、後バスバーの正面斜視図および背面斜視図である。
【図６】図６（ａ）は、実施の形態に係る、絶縁モジュールの正面斜視図であり、図６（ｂ）は、図６（ａ）のＡ−Ａ´断面図である。
【図７】図７（ａ）は、実施の形態に係る、絶縁モジュールの背面斜視図であり、図７（ｂ）は、図７（ａ）のＢ−Ｂ´断面図である。
【図８】図８は、実施の形態に係る、第１絶縁部のテーパー形状を誇張して模式的に描いた絶縁モジュールの要部の断面図である。
【図９】図９は、実施の形態に係る、コンデンサユニットの要部の側面図である。
【発明を実施するための形態】
【００１３】
以下、本発明の実施の形態について図を参照して説明する。便宜上、各図には、適宜、前後、左右および上下の方向が付記されている。なお、図示の方向は、あくまでフィルムコンデンサ１の相対的な方向を示すものであり、絶対的な方向を示すものではない。
【００１４】
本実施の形態において、上側端面電極１０１が、特許請求の範囲に記載の「第１の端面電極」に対応する。また、下側端面電極１０２が、特許請求の範囲に記載の「第２の端面電極」に対応する。さらに、前バスバー２００が、特許請求の範囲に記載の「第２のバスバー」に対応する。さらに、前側電極接続部２１０が、特許請求の範囲に記載の「第２の電極接続部」に対応する。さらに、第１中継部２２０と第２中継部２３０とにより、特許請求の範囲に記載の「中継部」が構成される。さらに、開口部２３１が、特許請求の範囲に記載の「第１の開口部」に対応する。さらに、前側重合部２４０が、特許請求の範囲に記載の「第２の重合部」に対応する。さらに、後バスバー３００が、特許請求の範囲に記載の「第１のバスバー」に対応する。さらに、後側電極接続部３１０が、特許請求の範囲に記載の「第１の電極接続部」に対応する。さらに、後側重合部３２０が、特許請求の範囲に記載の「第１の重合部」に対応する。さらに、絶縁モジュール４００が、特許請求の範囲に記載の「絶縁部」に対応する。さらに、第１絶縁部４１０が、特許請求の範囲に記載の「第１の絶縁部」に対応する。さらに、前リブ４１１が、特許請求の範囲に記載の「第２のリブ」に対応し、後リブ４１２が、特許請求の範囲の「第１のリブ」に対応する。さらに、第２絶縁部４２０が、特許請求の範囲に記載の「第２の絶縁部」に対応する。開口部４２１が、特許請求の範囲に記載の「第２の開口部」に対応する。さらに、第３絶縁部４３０が、特許請求の範囲に記載の「第３の絶縁部」に対応する。
【００１５】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００１６】
図１は、本実施の形態に係る、フィルムコンデンサ１の正面斜視図である。図１において、便宜上、充填樹脂３０は、一部分が斜線で描かれており、残る部分が透明に描かれている。
【００１７】
図１に示すように、フィルムコンデンサ１は、コンデンサユニット１０と、ケース２０と、充填樹脂３０とを備える。
【００１８】
コンデンサユニット１０は、コンデンサ素子１００と、前バスバー２００と、後バスバー３００と、絶縁モジュール４００とで構成され、コンデンサ素子１００から前バスバー２００および後バスバー３００で電気を引き出して外部機器へ供給する。ケース２０は、上下に扁平なほぼ直方体形状を有し、上面が開口する。ケース２０は、たとえば、ポリフェニレンサルファイド（ＰＰＳ）等の樹脂材料により形成され、コンデンサユニット１０を収容する。充填樹脂３０は、溶融された樹脂がケース２０内に充填されて冷却されることにより形成される。充填樹脂３０は、前バスバー２００の第２中継部２３０および後バスバー３００の後側電極接続部３１０が埋没する位置までケース２０内に充填される。充填樹脂３０は、コンデンサ素子１００と、前バスバー２００、後バスバー３００および絶縁モジュール４００の一部とを覆い、これらを湿気や衝撃から保護する。
【００１９】
コンデンサユニット１０の構成ついて、以下、詳細に説明する。
【００２０】
図２（ａ）は、本実施の形態に係る、コンデンサユニット１０の正面斜視図であり、図２（ｂ）は、本実施の形態に係る、コンデンサユニット１０の背面斜視図である。図３は、本実施の形態に係る、裏返した状態のコンデンサユニット１０の背面斜視図である。図４（ａ）および（ｂ）は、それぞれ、本実施の形態に係る、前バスバー２００の正面斜視図および背面斜視図である。図５（ａ）および（ｂ）は、それぞれ、本実施の形態に係る、後バスバー３００の正面斜視図および背面斜視図である。図６（ａ）は、本実施の形態に係る、絶縁モジュール４００の正面斜視図であり、図６（ｂ）は、図６（ａ）のＡ−Ａ´断面図である。図７（ａ）は、本実施の形態に係る、絶縁モジュール４００の背面斜視図であり、図７（ｂ）は、図７（ａ）のＢ−Ｂ´断面図である。図８は、本実施の形態に係る、第１絶縁部４１０のテーパー形状を誇張して模式的に描いた絶縁モジュール４００の要部の断面図である。図９は、本実施の形態に係る、コンデンサユニット１０の要部の側面図である。
【００２１】
コンデンサ素子１００は、誘電体フィルム上にアルミニウムを蒸着させた２枚の金属化フィルムを重ね、重ねた金属化フィルムを巻回または積層し、その周面を扁平状に押圧することにより形成される。コンデンサ素子１００は、両端面が上下方向を向く。コンデンサ素子１００には、上側の端面に、亜鉛等のメタリコン金属の吹付けにより上側端面電極１０１が形成され、下側の端面に、同じく亜鉛等のメタリコン金属の吹付けにより下側端面電極１０２が形成される。なお、本実施の形態のコンデンサ素子１００は、誘電体フィルム上にアルミニウムを蒸着させた金属化フィルムにより形成されたが、これ以外にも、亜鉛、マグネシウム等の他の金属を蒸着させた金属化フィルムにより形成されてもよい。あるいは、コンデンサ素子１００は、これらの金属のうち、複数の金属を蒸着させた金属化フィルムにより形成されてもよいし、これらの金属どうしの合金を蒸着させた金属化フィルムにより形成されてもよい。
【００２２】
図４（ａ）および（ｂ）に示すように、前バスバー２００は、導電性材料、たとえば、銅板により形成され、前側電極接続部２１０と、第１中継部２２０と、第２中継部２３０と、前側重合部２４０と、１４個の接続端子部２５０とを含む。前バスバー２００は、たとえば、一枚の銅板を適宜切り抜き、折り曲げることによって形成され、これら前側電極接続部２１０と、第１中継部２２０と、第２中継部２３０と、前側重合部２４０と、１４個の接続端子部２５０が一体となっている。
【００２３】
前側電極接続部２１０は、左右に細長い板状を有する。前側電極接続部２１０の後端部には、４つの電極端子２１１が形成される。第１中継部２２０および第２中継部２３０は、前側電極接続部２１０と前側重合部２４０とを繋ぐ。第１中継部２２０は、左右に長い板状を有し、前側電極接続部２１０の前端部から上方に延びる。第２中継部２３０は、左右に長い板状を有し、第１中継部２２０の上端部から後方に延びる。第２中継部２３０には、左右方向に長い長円形状の開口部２３１が左右方向に並ぶように３か所に形成される。
【００２４】
前側重合部２４０は、左右に長い板状を有し、第２中継部２３０の後端部から上方に延びる。前側重合部２４０の左端部には、左方に張り出す矩形状の第１下差込部２４１が形成され、第１下差込部２４１の上方に、第１下差込部２４１よりも左方に張り出す矩形状の第１上差込部２４２が形成される。同様に、前側重合部２４０の右端部には、右方に張り出す矩形状の第２下差込部２４３が形成され、第２下差込部２４３の上方に、第２下差込部２４３よりも右方に張り出す矩形状の第２上差込部２４４が形成される。
【００２５】
１４個の接続端子部２５０は、前側重合部２４０の上端部において、左右方向に所定の間隔を有するように配置される。各接続端子部２５０は、その下端部において前側重合部２４０に対してほぼ直角に折り曲げられ、その両側面が左右方向を向く。各接続端子部２５０には、外部機器からの各端子（図示せず）が半田付け等の固定方法を用いて接続される。
【００２６】
図５（ａ）および（ｂ）に示すように、後バスバー３００は、導電性材料、たとえば、銅板により形成され、後側電極接続部３１０と、後側重合部３２０と、１４個の接続端子部３３０とを含む。後バスバー３００は、たとえば、一枚の銅板を適宜切り抜き、折り曲げることによって形成され、これら後側電極接続部３１０と、後側重合部３２０と、１４個の接続端子部３３０が一体となっている。
【００２７】
後側電極接続部３１０は、左右に長い板状を有する。後側電極接続部３１０には、左右に長い長方形状の開口部３１１が、左右方向に並ぶように２か所に形成される。各開口部３１１の前端縁には、２つの電極端子３１２が形成される。また、後側電極接続部３１０には、２つの開口部３１１の間と右側の開口部３１１の右方とに、それぞれに２か所ずつ、左右に長い長円形状の開口部３１３が形成される。
【００２８】
後側重合部３２０は、左右に長い板状を有し、後側電極接続部３１０の前端部から上方に延びる。後側重合部３２０の左端部には、左方に張り出す矩形状の第３下差込部３２１が形成され、第３下差込部３２１の上方に、第３下差込部３２１よりも左方に張り出す矩形状の第３上差込部３２２が形成される。同様に、後側重合部３２０の右端部には、右方に張り出す矩形状の第４下差込部３２３が形成され、第４下差込部３２３の上方に、第４下差込部３２３よりも右方に張り出す矩形状の第４上差込部３２４が形成される。
【００２９】
１４個の接続端子部３３０は、後側重合部３２０の上端部において、左右方向に所定の間隔を有するように配置される。各接続端子部３３０は、その下端部において後側重合部３２０に対してほぼ直角に折り曲げられ、その両側面が左右方向を向く。各接続端子部３３０には、外部機器からの各端子（図示せず）が半田付け等の固定方法を用いて接続される。
【００３０】
図６（ａ）ないし図７（ｂ）に示すように、絶縁モジュール４００は、第１絶縁部４１０と、第２絶縁部４２０と、第３絶縁部４３０と、前側左保持部４４０と、前側右保持部４５０と、後側左保持部４６０と、後側右保持部４７０と、絶縁紙４８０とを含む。第１絶縁部４１０と、第２絶縁部４２０と、第３絶縁部４３０と、前側左保持部４４０と、前側右保持部４５０と、後側左保持部４６０と、後側右保持部４７０からなる絶縁本体部４００ａは、ＰＰＳ等の樹脂材料を用いて成形により一体形成され、絶縁性を有する。
【００３１】
第１絶縁部４１０は、左右に長い板状を有する。第１絶縁部４１０の前面４１０ａには、左右方向に所定の間隔を置いて、上下方向に延びる４つの前リブ４１１が形成される。同様に、第１絶縁部４１０の後面４１０ｂには、左右方向に所定の間隔を置いて、上下方向に延びる４つの後リブ４１２が形成される。図８に示すように、第１絶縁部４１０は、絶縁本体部４００ａを図８の上下方向に分割される金型を用いて成形する際に上側の金型が抜けやすいよう、上方に向かう（第２絶縁部４２０から離れる）に従って厚みが小さくなるテーパー状を有する。このため、第１絶縁部４１０の前面４１０ａと後面４１０ｂとは平行な状態とならない。一方、前リブ４１１は、第１絶縁部４１０の前面４１０ａから僅かに前方へ突出し、その突出量が上方へ向かうに従って大きくなるよう形成され、後リブ４１２は、第１絶縁部４１０の後面４１０ｂから僅かに後方へ突出し、その突出量は上方へ向かうに従って大きくなるよう形成される。これにより、前リブ４１１の突出面４１１ａと後リブ４１２の突出面４１２ａが平行な状態となる。なお、前リブ４１１および後リブ４１２も絶縁本体部４００ａと一体形成されたものであるが、前リブ４１１および後リブ４１２ともに絶縁本体部４００ａの長手方向に対して僅かな大きさのものであるため、成形する際の上側の金型を抜く作業の支障となることはない。
【００３２】
第２絶縁部４２０は、左右に長い板状を有し、第１絶縁部４１０の下端部から前方に延びる。第２絶縁部４２０には、前バスバー２００の３つの開口部２３１に対応する位置に、当該開口部２３１と相似形状となる長円形状を有する３つの開口部４２１が形成される。開口部４２１は、開口部２３１よりも小さくされる。第３絶縁部４３０は、左右に細長い板状を有し、第２絶縁部４２０の前端部から下方に延びる。
【００３３】
前側左保持部４４０には、上方および右方に開口するとともに第１絶縁部４１０の前面４１０ａに沿って上下に走る第１下差込溝４４１と第１上差込溝４４２とが形成される。第１上差込溝４４２は、第１下差込溝４４１の上方であって第１下差込溝４４１よりも左側に形成される。前側右保持部４５０には、上方および左方に開口するとともに第１絶縁部４１０の前面４１０ａに沿って上下に走る第２下差込溝４５１と第２上差込溝４５２とが形成される。第２上差込溝４５２は、第２下差込溝４５１の上方であって第２下差込溝４５１よりも右側に形成される。また、前側右保持部４５０には、その下部に、係合片４５３が形成される。係合片４５３の先端部には、前方に突出する爪部４５３ａが形成される。
【００３４】
後側左保持部４６０には、上方および右方に開口するとともに第１絶縁部４１０の後面４１０ｂに沿って上下に走る第３下差込溝４６１と第３上差込溝４６２とが形成される。第３上差込溝４６２は、第３下差込溝４６１の上方であって第３下差込溝４６１よりも左側に形成される。また、後側左保持部４６０には、その下部に、係合片４６３が形成される。係合片４６３の先端部には、後方に突出する爪部４６３ａが形成される。後側右保持部４７０には、上方および左方に開口するとともに第１絶縁部４１０の後面４１０ｂに沿って上下に走る第４下差込溝４７１と第４上差込溝４７２とが形成される。第４上差込溝４７２は、第４下差込溝４７１の上方であって第４下差込溝４７１よりも右側に形成される。また、後側右保持部４７０には、その下部に、係合片４７３が形成される。係合片４７３の先端部には、後方に突出する爪部４７３ａが形成される。
【００３５】
絶縁紙４８０は、上方に突出するように第１絶縁部４１０の上端部４１０ｃに設けられる。第１絶縁部４１０の上端部４１０ｃには、左右両側に、絶縁紙４８０の保持部４１３、４１４が形成される、絶縁紙４８０は、その厚みが第１絶縁部４１０の厚みよりも大幅に薄く、第１絶縁部４１０の前面４１０ａとの間に所定の距離が置かれるように、第１絶縁部４１０の上端部４１０ｃおよび左右の保持部４１３、４１４の後面に貼り付けられる。
【００３６】
図２（ａ）に示すように、第１下差込部２４１と第１上差込部２４２とが、それぞれ、上方から第１下差込溝４４１と第１上差込溝４４２とに差し込まれる。同様に、第２下差込部２４３と第２上差込部２４４とが、それぞれ、上方から第２下差込溝４５１と第２上差込溝４５２とに差し込まれる。これにより、前バスバー２００は、その前側重合部２４０が第１絶縁部４１０の前面４１０ａに近接対峙するように、前側左保持部４４０と前側右保持部４５０とで保持される。また、第２中継部２３０の右端の前端部が係合片４５３の爪部４５３ａに押さえ付けられ、前バスバー２００が上方へ抜けにくくなる。なお、前側重合部２４０が第１絶縁部４１０に接触していてもよいし、前側重合部２４０と第１絶縁部４１０との間に僅かな隙間があってもよい。
【００３７】
また、図２（ｂ）に示すように、第３下差込部３２１と第３上差込部３２２とが、それぞれ、上方から第３下差込溝４６１と第３上差込溝４６２とに差し込まれる。同様に、第４下差込部３２３と第４上差込部３２４とが、それぞれ、上方から第４下差込溝４７１と第４上差込溝４７２とに差し込まれる。これにより、後バスバー３００は、その後側重合部３２０が第１絶縁部４１０の後面４１０ｂに近接対峙するように、後側左保持部４６０と後側右保持部４７０とで保持される。また、後側電極接続部３１０の左右の前端部が左右の係合片４６３、４７３の爪部４６３ａ、４７３ａに押さえ付けられ、後バスバー３００が上方へ抜けにくくなる。なお、後側重合部３２０が第１絶縁部４１０に接触していてもよいし、後側重合部３２０と第１絶縁部４１０との間に僅かな隙間があってもよい。
【００３８】
このようにして、コンデンサユニット１０では、前バスバー２００の前側重合部２４０と後バスバー３００の後側重合部３２０とが第１絶縁部４１０を挟んで前後に重なり合う。前側重合部２４０と後側重合部３２０との間が第１絶縁部４１０により絶縁される。また、前バスバー２００の第２中継部２３０の下に第２絶縁部４２０が重なる。第２中継部２３０の開口部２３１と第２絶縁部４２０の開口部４２１とが、それらの中心がほぼ一致する状態で重なる。これにより、第２絶縁部４２０の開口部４２１が第２中継部２３０の開口部２３１の開口領域内のほぼ中央に位置することになる。
【００３９】
なお、図８で説明したように、第１絶縁部４１０の前面４１０ａと後面４１０ｂは平行ではないが、前リブ４１１の突出面４１１ａと後リブ４１２の突出面４１２ａは平行であるので、前リブ４１１の突出面４１１ａと後リブ４１２の突出面４１２ａとに沿わされることにより、前バスバー２００と後バスバー３００とが平行な状態に維持される。また、第１絶縁部４１０の上端部４１０ｃに絶縁紙４８０が設けられることにより、前側重合部２４０と後側重合部３２０との間の沿面距離を第１絶縁部４１０の上端縁から絶縁紙４８０の上端縁までの長さＬ１（図６（ａ）参照）の分だけ長くでき、良好な沿面距離を確保できる。
【００４０】
前バスバー２００の前側電極接続部２１０と後バスバー３００の後側電極接続部３１０との間に、コンデンサ素子１００が配置される。後側電極接続部３１０の４つの電極端子３１２が、コンデンサ素子１００の上側端面電極１０１に半田Ｓで接続され（図２（ｂ）参照）、前側電極接続部２１０の４つの電極端子２１１が、コンデンサ素子１００の下側端面電極１０２に半田Ｓで接続される（図３参照）。
【００４１】
図２（ａ）および（ｂ）に示すように、前側重合部２４０および後側重合部３２０は、上から見たときに、コンデンサ素子１００の上側端面電極１０１と重なる位置に設けられる。即ち、コンデンサユニット１０は、前側重合部２４０および後側重合部３２０が、上側端面電極１０１と重なる位置において、それぞれ第２中継部２３０および後側電極接続部３１０から上側端面電極１０１が向く方向に引き出される形態をとる。
【００４２】
また、図９に示すように、コンデンサ素子１００の上側端面電極１０１とは異極性である前バスバー２００の第２中継部２３０が上側端面電極１０１に沿う状態となる。第２中継部２３０と上側端面電極１０１との間に第２絶縁部４２０が介在し、第２中継部２３０と上側端面電極１０１とが第２絶縁部４２０により絶縁される。さらに、前バスバー２００の第１中継部２２０がコンデンサ素子１００の周面１０３に沿う状態となる。第１中継部２２０の上部と周面１０３の上部との間に第３絶縁部４３０が介在する。即ち、周面１０３には、上側端面電極１０１の周面が含まれ、この上側端面電極１０１の周面を含む周面１０３の一部と第１中継部２２０との間に第３絶縁部４３０が介在する。これにより、上側端面電極１０１と第１中継部２２０との間の沿面距離が第３絶縁部４３０の上下の長さＬ２（図９参照）の分だけ長くなる。
【００４３】
コンデンサユニット１０が収容されたケース２０内には、充填樹脂３０となる溶融樹脂が上方から注入される。このとき、注入された溶融樹脂は、第２中継部２３０の開口部２３１および第２絶縁部４２０の開口部４２１を流通する。これにより、第２絶縁部４２０とコンデンサ素子１００との間に溶融樹脂が行き渡りやすくなる。同様に、注入された溶融樹脂は、後側電極接続部３１０の開口部３１３を流通する。これにより、後側電極接続部３１０とコンデンサ素子１００との間に溶融樹脂が行き渡りやすくなる。なお、開口部２３１、開口部４２１および開口部３１３は、第２中継部２３０、第２絶縁部４２０および後側電極接続部３１０の長手方向に長い長円形状形成されるので、開口面積を大きくでき、溶融樹脂の流通量を多くできる。また、開口部２３１、開口部４２１および開口部３１３は長円形状であり、矩形状などの頂点の存在する形状とは異なるため、溶融樹脂がスムーズに流通できるとともにこれら開口部２３１、開口部４２１および開口部３１３付近における溶融樹脂の未充填部分の発生を抑制できる。
【００４４】
また、第２中継部２３０の開口部２３１の開口領域内に収まるように、開口部２３１よりも第２絶縁部４２０の開口部４２１が小さくされるため、上側端面電極１０１と第２中継部２３０との間の沿面距離が開口部２３１の周縁から開口部４２１の周縁までの長さＬ３（図２（ａ）参照）の分だけ長くなる。
【００４５】
＜実施の形態の効果＞
以上、本実施の形態によれば、以下の効果が奏される。
【００４６】
前バスバー２００の前側重合部２４０および後バスバー３００の後側重合部３２０が、コンデンサ素子１００の上側端面電極１０１と重なる位置に設けられるので、上側端面電極１０１に沿う方向におけるフィルムコンデンサ１のサイズを小さくすることができる。
【００４７】
しかも、前バスバー２００と後バスバー３００とを絶縁モジュール４００に装着するだけで、第１絶縁部４１０から延延した第２絶縁部４２０によって、コンデンサ素子１００の上側端面電極１０１と、当該上側端面電極１０１とは異極性である前バスバー２００の第２中継部２３０との接触を防止し、絶縁を行うことができる。
【００４８】
また、前バスバー２００の第１中継部２２０とコンデンサ素子１００の周面１０３との間に介在する第３絶縁部４３０によって、上側端面電極１０１と第１中継部２２０との間の沿面距離を長くできる。これにより、上側端面電極１０１と第１中継部２２０との間に良好な沿面距離を確保できる。
【００４９】
さらに、第２中継部２３０の開口部２３１に重なるように、第２絶縁部４２０に開口部４２１を形成したので、ケース２０内に充填樹脂３０となる溶融樹脂が注入された際に、溶融樹脂が、第２中継部２３０の開口部２３１および第２絶縁部４２０の開口部４２１を流通して第２絶縁部４２０とコンデンサ素子１００との間に行き渡りやすくなる。これにより、コンデンサユニット１０を充填樹脂３０でしっかりと覆うことできる。
【００５０】
さらに、第２中継部２３０の開口部２３１の開口領域内に収まるように、開口部２３１よりも第２絶縁部４２０の開口部４２１が小さくされているため、上側端面電極１０１と第２中継部２３０との間の沿面距離を長くすることができる。これにより、上側端面電極１０１と第２中継部２３０との間に良好な沿面距離を確保できる。
【００５１】
さらに、第１絶縁部４１０の前面４１０ａと後面４１０ｂとに、それぞれ、前リブ４１１および後リブ４１２が設けられ、前リブ４１１の突出面４１１ａと後リブ４１２の突出面４１２ａとが平行となっている。これにより、前リブ４１１の突出面４１１ａと後リブ４１２の突出面４１２ａとに沿わされ、前バスバー２００と後バスバー３００が平行な状態に維持される。
【００５２】
以上、本発明の実施の形態について説明したが、本発明は、上記実施の形態に限定されるものではなく、また、本発明の適用例も、上記実施の形態の他に、種々の変更が可能である。
【００５３】
たとえば、上記実施の形態では、コンデンサユニット１０に、１つのコンデンサ素子１００が設けられた。しかしながら、コンデンサ素子１００の個数は、上記実施の形態のものに限られず、必要な電気容量に応じて、適宜、変更できる。たとえば、２個以上のコンデンサ素子１００が前後方向や左右方向に配列されてもよい。
【００５４】
また、コンデンサ素子１００は、誘電体フィルム上にアルミニウムを蒸着させた２枚の金属化フィルムを重ね、重ねた金属化フィルムを巻回または積層することで形成されたものであるが、これ以外にも、誘電体フィルムの両面にアルミニウムを蒸着させた金属化フィルムと絶縁フィルムとを重ね、これを巻回または積層することによりコンデンサ素子１００を形成してもよい。
【００５５】
さらに、上記実施の形態では、第２中継部２３０および第２絶縁部４２０に、それそれ、３つの長円形状の開口部２３１および開口部４２１が形成された。しかしながら、これら開口部２３１、４２１の個数および形状は、上記実施の形態のものに限られない。たとえば、開口部２３１、４２１の個数は、２個以下であってもよいし、４個以上であってもよい。また、たとえば、開口部２３１、４２１の形状は、真円形状や四角形状であってもよい。
【００５６】
さらに、上記実施の形態では、第１絶縁部４１０に４つの前リブ４１１および後リブ４１２が形成された。しかしながら、これら前リブ４１１および後リブ４１２の個数は、上記実施の形態のものに限られない。たとえば、前リブ４１１および後リブ４１２の個数は、３個以下であってもよいし、５個以上であってもよい。
【００５７】
また、上記実施の形態では、前バスバー２００は、前側電極接続部２１０から第１中継部２２０と第２中継部２３０を中継して前側重合部２４０へと接続された。しかしながら、第２中継部２３０を中継せずに第１中継部２２０の延長上に前側重合部２４０が形成されてもよい。その場合、絶縁モジュール４００では、第２絶縁部４２０を形成せずに、第１絶縁部４１０の延長上に第３絶縁部４３０を形成してもよい。
【００５８】
この他、本発明の実施の形態は、特許請求の範囲に示された技術的思想の範囲内において、適宜、種々の変更が可能である。
【００５９】
なお、上記実施の形態の説明において「上方」「下方」等の方向を示す用語は、構成部材の相対的な位置関係にのみ依存する相対的な方向を示すものであり、鉛直方向、水平方向等の絶対的な方向を示すものではない。
【産業上の利用可能性】
【００６０】
本発明は、各種電子機器、電気機器、産業機器、車両の電装等に使用されるフィルムコンデンサに有用である。
【符号の説明】
【００６１】
１  フィルムコンデンサ
１０  コンデンサユニット
２０  ケース
３０  充填樹脂
１００  コンデンサ素子
１０１  上側端面電極（第１の端面電極）
１０２  下側端面電極（第２の端面電極）
１０３  周面
２００  前バスバー（第２のバスバー）
２１０  前側電極接続部（第２の電極接続部）
２２０  第１中継部（中継部）
２３０  第２中継部（中継部）
２３１  開口部（第１の開口部）
２４０  前側重合部（第２の重合部）
３００  後バスバー（第１のバスバー）
３１０  後側電極接続部（第１の電極接続部）
３２０  後側重合部（第１の重合部）
４００  絶縁モジュール（絶縁部）
４１０  第１絶縁部（第１の絶縁部）
４１１  前リブ（第２のリブ）
４１２  後リブ（第１のリブ）
４２０  第２絶縁部（第２の絶縁部）
４２１  開口部（第２の開口部）
４３０  第３絶縁部（第３の絶縁部）
【図１】
2017146013.tif 000003
【図２】
2017146013.tif 000004
【図３】
2017146013.tif 000005
【図４】
2017146013.tif 000006
【図５】
2017146013.tif 000007
【図６】
2017146013.tif 000008
【図７】
2017146013.tif 000009
【図８】
2017146013.tif 000010
【図９】
2017146013.tif 000011
【国際調査報告】
2017146013.tif 000012
2017146013.tif 000013